(57)【要約】【課題】  洗髪ボールを鉄製の支柱または鉄製のパイプで出来た支持台で支える製品では部材が重いだけでなく部品点数も多いため、製品の持ち運びに力を必要とする、組み立てや後片付けに手間がかかるなど、洗髪施術者に肉体的、時間的負担が大きくかかる点が問題であった。また洗髪施術が行いにくい点、洗髪施術時の揺れにより被洗髪者の首に負担がかかる点や被洗髪者の首に不快感がでる点も問題であった。【解決手段】  洗髪ボール１の下部に排水ホース接続パイプ１３と背当て板受け部１１、１２を形成し、その排水ホース接続パイプ１３と背当て板受け部１１、１２に着脱自在な排水ホース２と着脱自在な背当て板３を接続し、かつ着脱自在な背当て板３に弾力性を持たせて洗髪ボール１を支持する構造を特徴とする受皿式携帯洗髪器である。【選択図】図８
2016221196.tif 000002
【特許請求の範囲】
【請求項１】
洗髪ボールの下部に排水ホース接続パイプと背当て板受け部を形成し、その排水ホース接続パイプと背当て板受け部に着脱自在な排水ホースと着脱自在な背当て板を接続し、かつ着脱自在な背当て板に弾力性を持たせて洗髪ボールを支持する構造を特徴とする受皿式携帯洗髪器。
【請求項２】
前記洗髪ボール手前部分に肩当てとなる受皿部を左右に分離して設け、臥床状態の被洗髪者の両肩の上部に、その受皿部を乗せるようにする事で、臥床状態の被洗髪者の洗髪施術時には前記背当て板等の支持台を用いずとも、被洗髪者の首と両肩によって前記洗髪ボールが安定する構造を特徴とする請求項１記載の受皿式携帯洗髪器。
【請求項３】
前記洗髪ボール下部に設けた背当て板受け部は，Ｌ字型のレール状の形状とＬ字を裏返した」字型のレール状の形状をなし、前記洗髪ボール下部の前方から後方に向けて、左右２列に、平行に並ぶように配置されていることを特徴とする請求項１記載の受皿式携帯洗髪器。
【請求項４】
前記背当て板受け部に、前記背当て板を差し込むと前記洗髪ボールが水平方向に回転しないように固定、支持される特徴を持つ請求項１記載の受皿式携帯洗髪器。
【請求項５】
前記背当て板は、二か所の曲げ部分を設けることで側面から見て漢字の「了」の字の最後のはねをなくしたような形状をなし、その背当て板の「了」の字の一角目部分に当たる面を、前記洗髪ボール下部の背当て板受け部の奥から手前側に差し込むだけで洗髪ボールとの接続が可能な構造を特徴とする請求項４記載の受皿式携帯洗髪器。
【請求項６】
前記背当て板は、前記二か所の曲げ部分に弾力性を持たせることで、洗髪施術時の被洗髪者の首への負担を軽減するとともに洗髪施術時に起こる洗髪ボールと被洗髪者の頭の揺れを和らげる構造を特徴とする請求項４記載の受皿式携帯洗髪器。
【請求項７】
前記洗髪ボールの下部の後方に排水の為の排水口を形成する構造を特徴とする請求項１記載の受皿式携帯洗髪器。
【請求項８】
前記排水口に排水の為のホースを接続する事により、洗髪施術時の湯を排水する構造を特徴とする請求項７記載の受皿式携帯洗髪器。
【発明の詳細な説明】
【技術分野】
【０００１】  本発明は、訪問理美容出張サービスや在宅介護、入院中の患者に対して洗髪を行う際に用いる、支持台で洗髪ボールを支える構造を持つ携帯式洗髪器に関する。
【背景技術】
【０００２】  登録実用新案第３０４５０６９号のように鉄製のパイプを用いた支持台を組み立てて洗髪ボールを支持することで、洗髪ボールの高さ調節を可能とし、被洗髪者がベッドで横になった姿勢や椅子に座った姿勢のままでも洗髪を行える技術がある。【０００３】  他にも、実開昭６４−８３０１号のように洗髪ボール側面にある３点の固定シートのファスナーで洗髪ボールと鉄製のパイプで出来た支持台を接続して、洗髪ボールが揺れないように固定するとともに頭支持ベルトによって頭が揺れないように支持して使用する技術がある。【０００４】  また、登録実用新案第３０１２７６０号のように、ジョイントボルトを用いて洗髪ボールと背当て板を接続して、洗髪ボールと背当て板が平行になるように折り畳めるようにした技術がある。
【先行技術文献】
【非特許文献】
【０００５】
【非特許文献１】登録実用新案第３０４５０６９号公報
【非特許文献２】実願昭６２−１０１７５０号（実開昭６４−８３０１号）
【非特許文献３】登録実用新案第３０１２７６０号公報
【発明の概要】
【発明が解決しようとする課題】
【０００６】  非特許文献１と非特許文献２のように、洗髪ボールを鉄製の支柱または鉄製のパイプで出来た支持台で支える製品では部材が重いだけでなく部品点数も多いため、製品の持ち運びに力を必要とする、組み立てや後片付けに手間がかかるなど、洗髪施術者に肉体的、時間的負担が大きくかかる点が問題であった【０００７】  また非特許文献１は、高さ調節のために洗髪ボール底部にある円形の嵌め入れ孔にパイプ状の支柱を垂直に立てて嵌め入れる構造である。そのため洗髪施術時はスタンドに嵌め込んだ洗髪ボールが嵌め入れ孔を中心に水平方向に回転してしまい洗髪施術がやりにくい点が問題であった。また洗髪ボールに固定されたクッションで被洗髪者の首を支える構造のため、洗髪ボールが水平方向に回転するとクッションに乗せられた被洗髪者の首とクッションがこすれて不快感が出てしまう点も問題であった。【０００８】  非特許文献２は、臥床状態の被洗髪者に対して洗髪施術を行う目的の製品である。この製品は洗髪ボールに湯を満たして使用するものであるが、洗髪施術時に発生する洗髪ボールの揺れによって満たした湯をこぼさないようにするため、鉄製のパイプで出来た支持台と洗髪ボールを接続して洗髪ボールが動かないように固定している。また、洗髪施術中におこる被洗髪者の頭部の揺れによって洗髪ボールに満たした湯をこぼさないようにするため、頭支持ベルトで被洗髪者の頭部を支える構造となっている。
しかし洗髪ボールを支持台に乗せているため、洗髪ボールの高さが上がりすぎてしまい被洗髪者の首に負担がかかってしまう点が問題であった。また、洗髪施術中は被洗髪者の後頭部に頭支持ベルトがあるため、洗髪施術を行いにくい点も問題であった。【０００９】  非特許文献３は、洗髪ボールと背当て板をジョイントボルトで接続することで、洗髪ボールと背当て板が平行になるように折り畳めることができる。この製品は、持ち運びや組み立て、後片付けは容易であるものの、ジョイントボルトで洗髪ボールと背当て板を接続しているため、洗髪施術時に洗髪ボールの角度を一定に保つことが難しく、洗髪しにくい点が問題であった。またジョイントボルト一点で洗髪ボールと背当て板を接続しているため、接続部の強度が弱く、耐久性にも問題があった。【００１０】  本発明は、前記した問題点を改善せんとするもので、その目的とするところは、部品点数を少なくすることで持ち運びや組み立て、後片付けを行いやすくし、洗髪ボールの支持方法を見直すことで洗髪施術を行いやすくし、支持台となる背当て板に弾力性を持たせることで被洗髪者の首への負担を軽減し、被洗髪者が快適に洗髪施術を受けられる受皿式携帯洗髪器を提供せんとするものである。
【課題を解決するための手段】
【００１１】  本発明の受皿式携帯洗髪器は前記した目的を達成せんとするもので、請求項１の手段は、洗髪ボールの下部に排水ホース接続パイプと背当て板受け部を形成し、その排水ホース接続パイプと背当て板受け部に着脱自在な排水ホースと着脱自在な背当て板を接続し、かつ着脱自在な背当て板に弾力性を持たせて洗髪ボールを支持する構造を特徴とする。【００１２】  請求項２の手段は、前記請求項１において、前記洗髪ボール手前部分に肩当てとなる受皿部を左右に分離して設け、臥床状態の被洗髪者の両肩の上部に、その受皿部を乗せるようにする事で、臥床状態の被洗髪者への洗髪施術時は前記背当て板等の支持台を用いずとも、被洗髪者の首と両肩によって前記洗髪ボールが安定する構造を特徴とする。【００１３】  請求項３の手段は、前記請求項１において、前記洗髪ボール下部に設けた背当て板受け部が，Ｌ字型のレール状の形状とＬ字を裏返した」字型のレール状の形状をなし、前記洗髪ボール下部の前方から後方に向けて、左右２列に、平行に並ぶように配置されていることを特徴とする。【００１４】  請求項４の手段は、前記請求項１において、前記背当て板受け部に、前記背当て板を差し込むと前記洗髪ボールが水平方向に回転しないように固定、支持されることを特徴とする。【００１５】  請求項５の手段は、前記請求項４において、前記背当て板は二か所の曲げ部分を設けることで側面から見て漢字の「了」の字の最後のはねをなくしたような形状をなし、その背当て板の「了」の字の一角目部分に当たる面を、前記洗髪ボール下部の背当て板受け部の奥から手前側に差し込むだけで洗髪ボールとの接続が可能な構造を特徴とする。【００１６】  請求項６の手段は、前記請求項４において、前記背当て板は前記二か所の曲げ部分に弾力性を持たせることで、洗髪施術時の被洗髪者の首への負担を軽減するとともに洗髪施術時に起こる洗髪ボールと被洗髪者の頭の揺れを和らげる構造を特徴とする。【００１７】  請求項７の手段は、前記請求項１において、前記洗髪ボールの下部の後方に、排水の為の排水口を形成する構造を特徴とする。【００１８】  請求項８の手段は、前記請求項７において、前記排水口に排水の為のホースを接続する事により、洗髪施術時の湯を排水する構造を特徴とする。
【発明の効果】
【００１９】  本発明は前記したように、洗髪ボール下部の背当て板受け部に弾力性を持たせた背当て板を差し込み、排水口に排水の為のホースを接続するだけで洗髪施術の準備ができ、背当て板と排水ホースを抜き取るだけで洗髪施術後の後片付けが終わるため、洗髪施術者の時間的負担が軽減され、また鉄製のパイプを使用しないため重量的に軽く、持ち運びも容易になり洗髪施術者の肉体的負担も軽減される。【００２０】  また前記洗髪ボール下部の前方から後方に向けて、左右２列に、平行に並ぶように配置されている前記背当て板受け部に背当て板を差し込むことにより、洗髪ボールが洗髪施術中に水平方向に回転しないように固定・支持できる。洗髪施術中は非特許文献１のように洗髪ボールが水平方向に回転することがないので洗髪施術を行いやすく、また首支持部に乗せられた被洗髪者の首と首支持部がこすれるようなこともないため不快感を減らすことができ、かつ洗髪施術時に被洗髪者の首にかかる負担を背当て板の弾力性で軽減するので、快適に洗髪施術を受けてもらえるようになる。【００２１】  また本発明は、臥床状態の被洗髪者に対して洗髪施術を行う際には、支持台となる背当て板を用いる必要がないので洗髪施術者の時間的負担がさらに軽減される。非特許文献２のような、支持台を用いて洗髪ボールを完全に揺らさないようにする固定方法と異なり、洗髪ボールの高さを必要以上に上げることがないので、被洗髪者の首への負担を軽減することができる。
また洗髪施術の妨げとなるような頭支持ベルトを用いる必要もないので、洗髪施術を行いやすくなる。【００２２】  さらに本発明は、非特許文献３のような洗髪ボールと背当て板をジョイントボルトで接続する方法と異なり、弾力性を持たせた背当て板によって、洗髪施術中の被洗髪者の頭部の揺れや頭部の重さによる洗髪ボールの角度の変化を抑えられるため、洗髪施術が行いやすくなるだけでなく、洗髪施術時に被洗髪者の首にかかる負担を軽減することができるので、快適に洗髪施術を受けてもらえるようになる。またジョイントボルト一点での洗髪ボールの支持と比較して、背当て板の曲面で支持する本発明では耐久性の面でも安心して使用することができる。
【図面の簡単な説明】
【００２３】
【図１】本発明の受皿式携帯洗髪器の斜視図である。
【図２】図１の洗髪ボールの側面図である。
【図３】図２の排水ホース接続パイプ部の拡大斜視図である。
【図４】本発明の洗髪ボール部を下から見た図である。
【図５】図４の断面図Ａ−Ａである。
【図６】図１の背当て板の側面図である。
【図７】図１の背当て板の斜視図である。
【図８】本発明の側面図である。
【発明を実施するための形態】
【００２４】  以下、本発明に係る受皿式携帯洗髪器の形態を図１、２、３、４、５、６、７、８と共に説明する。
１の洗髪ボールは、手前部分には左右に分離された肩乗せ部となる受皿部１５ａ、１５ｂが形成され、その受皿部１５ａ、１５ｂの間には被洗髪者の首を支持する首支持部１４がある。また後方には洗髪施術時の排水の為の排水口１３、下部には背当て板３を差し込む隙間１１ａ、１２ａをもつ背当て板受け部１１、１２、下部後方には排水ホース２を接続するパイプ部１３ａが形成されている。
【００２５】  ２は前記洗髪ボール１の後方下部にある排水ホース接続パイプ１３ａに接続される排水ホースであり、接続されていない方の端は洗面台や風呂場の排水口、あるいは排水を受けるバケツ等に向けられる。
【００２６】  ３は前記背当て板を差し込む隙間１１ａ、１２ａに差し込まれる背当て板であり、曲げ疲労性に優れるＡＢＳ樹脂等にて形成され、背当て板曲げ部分３２、背当て板曲げ部分３３において弾力性を有している。また背当て板３の上方の平たい面は、前記の背当て板を差し込む隙間１１ａ、１２ａに差し込まれる背当て板差し込み部３１であり、下方の平たい面は被洗髪者の背中と椅子等の背もたれの間に挟み込まれる背中挟み込み部３４である。
【実施例】
【００２７】  本発明はお風呂場やシャワー設備のある洗面台等で使用するが、被洗髪者が椅子や車いすに座している場合、まず前記洗髪ボール１の下部にある背当て板を差し込む隙間１１ａ、１２ａに背当て板３を、排水ホース接続パイプ１３ａに排水ホース２を、それぞれ接続する。【００２８】  次に被洗髪者に背当て板３が入る程度に体を前方に起こしてもらい、背中挟み込み部３４を被洗髪者の背中と椅子等の背もたれの間に差し込みながら洗髪ボール１の首支持部１４を被洗髪者の首にあてる。洗髪ボール上端部１ａが横から見て水平となるように洗髪ボールの高さを調整しながら、被洗髪者に椅子等の背もたれによりかかってもらう事で洗髪施術の準備ができる。【００２９】  洗髪ボール１を支持する背当て板３は、背当て板曲げ部分３２、背当て板曲げ部分３３において弾力性を有しており、洗髪施術時は被洗髪者の首への負担を和らげると共に、洗髪施術時に起こる洗髪ボール１と被洗髪者の頭の揺れを和らげることができる。【００３０】  また被洗髪者がベッドに臥床状態の場合、被洗髪者に、洗髪ボール１の後部がベッドから出るように斜めに寝てもらい、被洗髪者の頭部を持ち上げながら、排水ホース２を排水ホース接続パイプ１３ａに接続した洗髪ボール１を、首支持部１４に被洗髪者の首が乗るように、また受皿部分１５ａ、１５ｂが被洗髪者の両肩の上に乗るように配置する。被洗髪者の頭部をそっと降ろすと、被洗髪者の頭部の重みで洗髪ボール手前の受皿部分１５ａ、１５ｂが下がり被洗髪者の両肩を押さえつけるようにして洗髪ボール１が安定し、支持台を用いずに洗髪施術を行うことができる。【００３１】  洗髪施術後は、洗髪ボール１より、排水ホース２および背当て板３を抜き取り、洗髪ボール１と排水ホース２に残る水滴をふき取ることで後片付けを終えることができる。
【産業上の利用可能性】
【００３２】  高齢化が問題となっている昨今、訪問理美容出張サービスへのニーズが高まっている。一方で、訪問理美容出張サービス中の洗髪は、あまり行われていないのが現状である。これは訪問先の設備環境によるものであるが、散髪後、頭部に残る髪の毛を洗い流せないまま訪問理美容サービスが終わってしまう状況は、訪問理美容出張サービスにおける改善点となっている。
そういった現状の中、これまでにも訪問理美容出張サービス時に使用できる携帯式洗髪器は、いくつか存在しているが、組み立て部材が多く持ち運びにくい点や、組み立てや後片付けの手間がかかる点、材質や形状により使い難い点、価格が高額である点などを理由に訪問理美容出張サービスにおいて、まだまだ普及には至っていないのが現状である。
本発明は、お風呂場やシャワー設備のある洗面台があれば洗髪を容易に行えるものであり、これまでは散髪後に頭部に残っていた髪の毛も、快適に洗い流すことができ、自宅にいながらも理美容室に行った時と同じように満足いただけるようになる。
また本発明は鉄製のパイプを使用しないため、部品点数が少ないため、持ち運びや洗髪施術前の組み立て、洗髪施術後の後片付けが容易で洗髪施術者の肉体的、時間的負担を軽くすることができる。
在宅介護を必要とするご家庭においても、ご家族が洗髪施術を行いやすくなり、在宅介護サービスが来ないような日にもご家族の頭を清潔に保ちやすくなる。
本発明は、全国理・美容組合との連携を深め、訪問理美容出張サービスの必需品となるように働きかける事で、訪問理美容出張サービスや在宅介護の現場において普及する可能性がある。【００３３】  入院設備のある病院でも、洗髪設備が整っていない病院施設はまだまだ多く、洗髪施術にはケリーパッドの使用や、紙おむつの使用などの工夫が必要であり、準備や後片付けの面で、より簡単に使用できる洗髪器が必要とされている。また洗髪施術時は人員を割かねばならず、洗髪は週に一度、行われるか否かというのが現状である。入院患者は不衛生・不快感を我慢しながら入院生活を送っており、一人でも準備・後片付け・洗髪施術が行えるような、あるいは看病中の家族が簡単に洗髪施術を行えるような、より効率良く使える洗髪器が必要とされている。
本発明は、洗髪設備の整っていない病院での洗髪において、臥床状態の患者への洗髪に要する準備の手間や紙おむつを使用することへの患者の精神的な抵抗感も軽減することができる。また車椅子の使用が可能な患者の洗髪もよりやりやすくなり、不衛生・不快感を我慢していた入院生活の向上も図れるようになる。
本発明は洗髪設備が整っていない病院施設をリサーチし売り込むことで、病院施設においても普及する可能性がある。【００３４】  また美容学校や介護科のある高等学校、看護専門学校等の教育機関との連携を深めることで、実施教育段階から本発明に親しんでもらうことも本発明が普及する可能性を高めると言える。
【符号の説明】
【００３５】１      洗髪ボール
２      排水ホース
３      背当て板
１ａ    洗髪ボール上端部
１１    背当て板受け部
１１ａ  背当て板を差し込む隙間
１２    背当て板受け部
１２ａ  背当て板を差し込む隙間
１３    排水口
１３ａ  排水ホース接続パイプ
１４    首支持部
１５ａ  肩乗せ部
１５ｂ  肩乗せ部
１６    洗髪ボールの底部
３１    背当て板差し込み部分
３２    背当て板曲げ部分
３３    背当て板曲げ部分
３４    背中挟み込み部
【図１】
2016221196.tif 000003
【図２】
2016221196.tif 000004
【図３】
2016221196.tif 000005
【図４】
2016221196.tif 000006
【図５】
2016221196.tif 000007
【図６】
2016221196.tif 000008
【図７】
2016221196.tif 000009
【図８】
2016221196.tif 000010